(57)【要約】【課題】  山登り運動を模倣した運動を行なうことができる脚用健身器を提供することを目的とする。【解決手段】  本発明は脚用健身器の構造を提供するもので、主架体の２つの回転軸支点上に左右両端が相対的に同じ高さで枢軸設置される軸を有し、軸の左右に相対的に反対向きに設置される左、右曲部を有し、左、右曲部に左、右側油圧シリンダアセンブリの各伸縮シリンダ軸端がそれぞれ枢軸設置され、伸縮シリンダ軸端の反対側にある左、右側油圧シリンダアセンブリの圧縮シリンダ端は主架体の左、右曲部の相対位置に枢軸設置され、左、右側油圧シリンダアセンブリの設置により軸は回転時に制止力を具備し、主架体の踏み板部が軸上に左右２つの左、右踏み板が交差した状態で設置される構成とされる。【選択図】  図１
2005124720.tif 000002
【特許請求の範囲】
【請求項１】
１つの主架体には、底端に着地フレームと、上記主架体の上端に使用者が手を置くことができる手すりフレームと、使用者が両足で踏むことができる踏み板部とが具備され、
上記主架体上に設けられた１つの軸は、上記主架体の左右両側に同じ高さで設置される回転軸支点上に左右両端が相対的に同じ高さで枢軸設置され、
上記軸の左右のそれぞれの側に相対的に反対向きに設置される左右曲部、右曲部を有し、上記構造により、上記軸は上記主架体のある一定の高さの所に水平、且つ、回転可能なように設置され、上記軸が回転するとき、上記左曲部、上記右曲部は常に１８０度の相対角度を保持し、
左側油圧シリンダアセンブリ、右側油圧シリンダアセンブリの各伸縮シリンダ軸端がそれぞれ上記左曲部、上記右曲部に枢軸設置され、上記左側油圧シリンダアセンブリ、上記右側油圧シリンダアセンブリの上記伸縮シリンダ軸端と反対側にある圧縮シリンダ端が上記主架体の上記左曲部、上記右曲部のそれぞれの相対する位置に枢軸設置され、上記左右側油圧シリンダアセンブリ、右側油圧シリンダアセンブリの設置により上記軸は、使用者に足で踏まれて回転するとき、制止力を具備し、
上記主架体の上記踏み板部は上記軸上に左右２つの左踏み板、右踏み板が交差した状態で設置されることを特徴とする脚用健身器。
【請求項２】
上記主架体の底にある上記着地フレームの左右両側にそれぞれ１つのＬ型板を設置し、上記Ｌ型板の２つの立板部の上部にそれぞれベアリングを設け、
上記ベアリングの中心点を上記軸の両端の回転軸支点とすることを特徴とする請求項１記載の脚用健身器。
【請求項３】
上記左踏み板、上記右踏み板は、足を乗せる面に滑り止め縁を有することを特徴とする請求項１記載の脚用健身器。
【請求項４】
上記左側油圧シリンダアセンブリ、上記右側油圧シリンダアセンブリは、それぞれ１つの立向油圧シリンダと１つの横向油圧シリンダとからなることを特徴とする請求項１記載の脚用健身器。
【請求項５】
上記左踏み板、上記右踏み板は１つの直軸上に設置される構造形態とし、
上記直軸は上記軸と同様に、上記Ｌ型板に設置された上記ベアリングに枢軸設置され、上記主架体の上記着地フレームの１つの側にモーターと減速ギヤアセンブリとを組み付け、上記減速ギヤアセンブリと上記直軸の一端を連結させ、上記モーターと上記減速ギヤアセンブリにより上記左踏み板、右踏み板を回転させ、復健器として使用することを特徴とする請求項１記載の脚用健身器。
【発明の詳細な説明】
【技術分野】
【０００１】
本発明は一種の健身器の構造に係るものであり、特に、一種の山登り運動を模倣した運動を行なうことができる脚用健身器の構造に関するものである。
【背景技術】
【０００２】
従来、健身器は空間や時間の制限を受けないという利点から、徐々に現代人にとって運動或はトレーニングをするのに必要なものとなってきている。現在では、健身器材設備の業者が行なってきた絶えまない開発の結果、市場では多種多様な機能形態の健身器が存在し、その中には人体の運動動作を模倣した設計の健身器が数多くある。例えば、サイクリング式健身車、歩行機、ボートこぎ機、ジョギング機等がある。実際には、人体の運動形態の種類は存在する健身器の種類よりも豊富であり、業界では人体の運動形態の多元化を図り、消費者の要望を満足させる為に、新しい種類の健身器が関係業界で開発目標となっている。
【発明の開示】
【発明が解決しようとする課題】
【０００３】
上記のように、従来の健身器は、様々な人体の運動動作を模倣した設計の健身器があるが、消費者が山登りを行うために足の筋肉を鍛えたい、山登りと同様の運動効果を得たいという要望に応えることができなかった。
【０００４】
本発明は、山登り運動を模倣した運動を行なうことができる脚用健身器を提供することを目的とする。
【課題を解決するための手段】
【０００５】
前記の目的を図るため、本発明の請求項１に記載されるように、１つの主架体には、底端に着地フレームと、上記主架体の上端に使用者が手を置くことができる手すりフレームと、使用者が両足で踏むことができる踏み板部とが具備され、
上記主架体上に設けられた１つの軸は、上記主架体の左右両側に同じ高さで設置される回転軸支点上に左右両端が相対的に同じ高さで枢軸設置され、
上記軸の左右のそれぞれの側に相対的に反対向きに設置される左右曲部、右曲部を有し、上記構造により、上記軸は上記主架体のある一定の高さの所に水平、且つ、回転可能なように設置され、上記軸が回転するとき、上記左曲部、上記右曲部は常に180°の相対角度を保持し、
左側油圧シリンダアセンブリ、右側油圧シリンダアセンブリの各伸縮シリンダ軸端がそれぞれ上記左曲部、上記右曲部に枢軸設置され、上記左側油圧シリンダアセンブリ、上記右側油圧シリンダアセンブリの上記伸縮シリンダ軸端と反対側にある圧縮シリンダ端が上記主架体の上記左曲部、上記右曲部のそれぞれの相対する位置に枢軸設置され、上記左右側油圧シリンダアセンブリ、右側油圧シリンダアセンブリの設置により上記軸は、使用者に足で踏まれて回転するとき、制止力を具備し、上記主架体の上記踏み板部は上記軸上に左右２つの左踏み板、右踏み板が交差した状態で設置される構成とされる。
【０００６】
このような脚用健身器において、主架体の底端に着地フレームと、上端に手すりフレームと、踏み板部と具備し、主架体の２つの回転軸支点上に左右両端が相対的に同じ高さで枢軸設置される軸を有し、軸の左右に相対的に反対向きに設置される左、右曲部を有し、左、右曲部に左、右側油圧シリンダアセンブリの各伸縮シリンダ軸端がそれぞれ枢軸設置され、伸縮シリンダ軸端の反対側にある左、右側油圧シリンダアセンブリの圧縮シリンダ端は主架体の左、右曲部の相対位置に枢軸設置され、左、右側油圧シリンダアセンブリの設置により軸は回転時に制止力を具備し、主架体の踏み板部が軸上に左右２つの左、右踏み板が交差した状態で設置されることにより、山登り運動を模倣した運動を行なうことができる。
【０００７】
前記の目的を図るため、本発明の請求項２に記載されるように、上記主架体の底にある上記着地フレームの左右両側にそれぞれ１つのＬ型板を設置し、上記Ｌ型板の２つの立板部の上部にそれぞれベアリングを設け、上記ベアリングの中心点を上記軸の両端の回転軸支点とする構成としてもよい。
【０００８】
このような脚用健身器において、着地フレームの左右両側にＬ型板を設置し、Ｌ型板の２つの立板部の上部にそれぞれベアリングを設け、そのベアリングの中心点を軸の両端の回転軸支点とすることにより、山登り運動を模倣した運動を行なうことができる。
【０００９】
前記の目的を図るため、請求項３に記載されるように、上記左踏み板、上記右踏み板は、足を乗せる面に滑り止め縁を有する構成としてもよい。
【００１０】
このような脚用健身器において、左踏み板、右踏み板に足を乗せる面に滑り止め縁を有することにより、使用者が足を乗せる時、後に滑り落ちるのを防ぐことができる。
【００１１】
前記の目的を図るため、請求項４に記載されるように、上記左側油圧シリンダアセンブリ、上記右側油圧シリンダアセンブリは、それぞれ１つの立向油圧シリンダと１つの横向油圧シリンダとからなる構成としてもよい。
【００１２】
このような脚用健身器において、左側油圧シリンダアセンブリ、右側油圧シリンダアセンブリは、それぞれ１つの立向油圧シリンダと１つの横向油圧シリンダとからなることにより、左踏み板、右踏み板上で足踏み動作を行なうことができ、山登り運動を模倣した運動を行なうことができる。
【００１３】
前記の目的を図るため、本発明の請求項５に記載されるように、上記左踏み板、上記右踏み板は１つの直軸上に設置される構造形態とし、上記直軸は上記軸と同様に、上記Ｌ型板に設置された上記ベアリングに枢軸設置され、上記主架体の上記着地フレームの１つの側にモーターと減速ギヤアセンブリとを組み付け、上記減速ギヤアセンブリと上記直軸の一端を連結させ、上記モーターと上記減速ギヤアセンブリにより上記左踏み板、右踏み板を回転させ、復健器として使用する構成としてもよい。
【００１４】
このような脚用健身器において、主架体の着地フレームの１つの側にモーターと減速ギヤアセンブリとを組み付け、減速ギヤアセンブリと直軸の一端を連結させ、モーターと減速ギヤアセンブリにより左踏み板、右踏み板を回転させて復健器として使用することができる。
【発明の効果】
【００１５】
本発明の脚用健身器において、主架体と軸と油圧シリンダと交差した状態で設置される左踏み板、右踏み板とで構成することにより、従来の健身器と違う構造の、一種の山登り運動を模倣した運動を行なうことができる脚用健身器の構造を提供することができる。
【００１６】
また、本発明の脚用健身器は簡単な構造であるため、大量生産が可能であり、容易に産業上利用することができる。
【発明を実施するための最良の形態】
【００１７】
以下に添付図面を参照して本発明の好適な実施の形態を詳細に説明する。図１は、本発明の第１実施例に係る脚用健身器を示す斜視図である。図２は、本発明の脚用健身器の使用状態を示す斜視図である。図３は、本発明の脚用健身器の動作状態を示す側面図である。図４は、本発明の脚用健身器の動作状態を示す正面図である。
【００１８】
図１、３に示す本発明の脚用健身器は、１つの主架体１０を有し、主架体１０は底端に着地フレーム１１を有し、上端に使用者が手を置くことができる手すりフレーム１２を有し、使用者が両足で踏むことができる踏み板部２０を具備する構造である。
【００１９】
主架体１０上は１つの軸３０を有する。軸３０は主架体１０の左右両側に同じ高さで設置される回転軸支点Ａ、Ｂ上に左右両端が相対的に同じ高さで枢軸設置される。且つ、軸３０の左右のそれぞれの側に相対的に反対向きに設置される左曲部３１、右曲部３２を有する。上記構造により、軸３０は主架体１０のある一定の高さの所に水平に設置され、且つ、回転させることができ、軸３０が回転する時、左曲部３１、右曲部３２は常に180°の相対角度を保持する構造とされる。
【００２０】
左側油圧シリンダアセンブリ４０Ａ、右側油圧シリンダアセンブリ４０Ｂの各伸縮シリンダ軸端４１がそれぞれ左曲部３１、右曲部３２に枢軸設置される。左側油圧シリンダアセンブリ４０Ａ、右側油圧シリンダアセンブリ４０Ｂの伸縮シリンダ軸端４１と反対側にある圧縮シリンダ端４２が主架体１０の左曲部３１、右曲部３２のそれぞれの相対する位置に枢軸設置される。左側油圧シリンダアセンブリ４０Ａ、右側油圧シリンダアセンブリ４０Ｂの設置により軸３０は、（使用者に足で踏まれて）回転する時、制止力を具備することができる。
【００２１】
主架体１０の踏み板部２０は、軸３０上に左右２つの左踏み板２１、右踏み板２２が交差した状態で設置される。主架体１０の底にある着地フレーム１１の左右両側にそれぞれ１つのＬ型板５０が設置される。Ｌ型板５０の２つの立板部５１の上部には、それぞれベアリング５２が設けられる。ベアリング５２の中心点を軸３０両端の回転軸支点Ａ、Ｂとする。
【００２２】
左踏み板２１、右踏み板２２は、足を乗せる面に滑り止め縁２３を具備してもよい。滑り止め縁２３は左踏み板２１、右踏み板２２の踏み面後端に１つの管体を固定設置してもよく、使用者が足を乗せる時、後に滑り落ちるのを防ぐことができる。
【００２３】
左側油圧シリンダアセンブリ４０Ａ、右側油圧シリンダアセンブリ４０Ｂはそれぞれ１つの立向油圧シリンダ４３と１つの横向油圧シリンダ４４とで構成される。立向油圧シリンダ４３の圧縮シリンダ端４２は上向きに設置され、軸ボルト４５により、主架体１０の左右両側に設置される横向架板１３上に枢軸設置される。横向油圧シリンダ４４の圧縮シリンダ端４２は後向きに設置され、軸ボルト４６により、主架体１０の左右両側に設置される立向架板１４上に枢軸設置される。
【００２４】
上記構造により、図２に示すように使用者は両足を左踏み板２１、右踏み板２２上に乗せて、運動を行なう。左踏み板２１、右踏み板２２は十字に交差した状態で設置されており、左踏み板２１、右踏み板２２上で足踏み動作を行ない、片足を左踏み板２１、或は右踏み板２２上に乗せることにより、もう片足が浮いた状態になるため、両手で上記手すりフレーム１２をつかみ、体を安定させて使用する。
【００２５】
図５は、本発明の脚用健身器の他の動作状態を示す側面図である。図６は、本発明の脚用健身器の他の動作状態を示す正面図である。本発明の脚用健身器の作動原理は図３〜６に示すように、使用者は踏む力により、左踏み板２１、右踏み板２２を回転させることができる。使用者は交互に足を乗せ、左踏み板２１、右踏み板２２を回転させるとき、軸３０も同調して回転する。軸３０を回転させる時、左曲部３１、右曲部３２の上下往復偏移動作が左側油圧シリンダアセンブリ４０Ａ、右側油圧シリンダアセンブリ４０Ｂのシリンダ軸をそれぞれ伸縮させる。同時に、伸縮シリンダ軸端４１が具備する制止力により、使用者は踏む動作を行なう時、左踏み板２１、右踏み板２２は制止力を具備する為、山登り運動に類似した健身効果を発揮することができる。
【００２６】
使用者は、左踏み板２１、右踏み板２２を踏む時、足の各筋肉を使用する為、足の筋肉を鍛えることができ、また、左踏み板２１、右踏み板２２が回転し、角度が絶えず変化するため、バランスとリズム感を養なうこともできる。
【００２７】
図７は、本発明の第２実施例に係る脚用健身器を示す斜視図である。図７に示すように本発明の第２実施例の脚用健身器は、左踏み板２１、右踏み板２２は１つの直軸６０上に設置される構造形態でもよく、直軸６０は軸３０と同様に、Ｌ型板５０に設置されたベアリング５２に枢軸設置される。主架体１０の着地フレーム１１の１つの側にモーター７０と減速ギヤアセンブリ７１を組み付け、減速ギヤアセンブリ７１と直軸６０の一端を連結させる。このように、モーター７０と減速ギヤアセンブリ７１により左踏み板２１、右踏み板２２を回転させる構造でもよく、復健器として使用することもできる。（この構造形態においては左側油圧シリンダアセンブリ４０Ａ、右側油圧シリンダアセンブリ４０Ｂを必要としない。）
従って、本発明の脚用健身器において、主架体と軸と油圧シリンダと交差した状態で設置される左踏み板、右踏み板とで構成することにより、従来の健身器と違う構造の、一種の山登り運動を模倣した運動を行なうことができる脚用健身器の構造を提供することができる。
【００２８】
また、本発明の脚用健身器は簡単な構造であるため、大量生産が可能であり、容易に産業上利用することができる。
【００２９】
尚、本発明の脚用健身器は上記の構成に限定されることなく、本発明の脚用健身器を変形及び改良した構成においても適応可能である。
【図面の簡単な説明】
【００３０】
【図１】本発明の第１実施例に係る脚用健身器を示す斜視図である。
【図２】本発明の脚用健身器の使用状態を示す斜視図である。
【図３】本発明の脚用健身器の動作状態を示す側面図である。
【図４】本発明の脚用健身器の動作状態を示す正面図である。
【図５】本発明の脚用健身器の他の動作状態を示す側面図である。
【図６】本発明の脚用健身器の他の動作状態を示す正面図である。
【図７】本発明の第２実施例に係る脚用健身器を示す斜視図である。
【符号の説明】
【００３１】
１０            主架体
１１            着地フレーム
１２            手すりフレーム
１３            横向架板
１４            立向架板
２０            踏み板部
２１            左踏み板
２２            右踏み板
２３            滑り止め縁
３０            軸
３１            左曲部
３２            右曲部
４０Ａ          左側油圧シリンダアセンブリ
４０Ｂ          右側油圧シリンダアセンブリ
４１            伸縮シリンダ軸端
４２            圧縮シリンダ端
４３            立向油圧シリンダ
４４            横向油圧シリンダ
４５、４６      軸ボルト
５０            Ｌ型板
５１            立板部
５２            ベアリング
６０            直軸
７０            モーター
７１            減速ギヤアセンブリ
Ａ、Ｂ          回転軸支点
【図１】
2005124720.tif 000003
【図２】
2005124720.tif 000004
【図３】
2005124720.tif 000005
【図４】
2005124720.tif 000006
【図５】
2005124720.tif 000007
【図６】
2005124720.tif 000008
【図７】
2005124720.tif 000009